(57)【要約】  液体透過性トップシート、トップシートに接合されるバックシート、及びトップシートとバックシートとの間に配置される吸収性コアを有する、生理用品などの吸収性物品が開示される。吸収性物品は、トップシートの外表面の少なくとも一部に適用されるローション組成物を有し、このローション組成物は、微晶性ワックス、アルキルジメチコーン、エチレングリコールジベヘネート、エチレングリコールジステアレート、グリセロールトリベヘネート、グリセロールトリステアレート、及びエチレンビスオレアミドからなる群から選択されるレオロジー構造剤を含む。
2013538667.tif 000002
【特許請求の範囲】
【請求項１】
吸収性物品であって、
液体透過性トップシートであって、前記吸収性物品の内側に向けられる内表面、及び前記吸収性物品が着用された際に着用者の皮膚に向けられる外表面を有する、液体透過性トップシートと、
前記トップシートに接合されるバックシートであって、前記吸収性物品の内側に向けられる内表面、及び前記吸収性物品が着用された際に着用者の衣類に向けられる外表面を有する、バックシートと、
前記トップシートと前記バックシートとの間に配置される吸収性コアであって、前記吸収性物品が着用された際に着用者の皮膚に向けられる内表面、及び前記吸収性物品が着用された際に着用者の衣類に向けられる外表面を有する、吸収性コアと、
前記トップシートの前記外表面の少なくとも一部に適用されるローション組成物であって、約０．１重量％〜約９０重量％の、微晶性ワックス、アルキルジメチコーン、エチレングリコールジベヘネート、エチレングリコールジステアレート、グリセロールトリベヘネート、グリセロールトリステアレート、及びエチレンビスオレアミドからなる群から選択されるレオロジー構造剤を含む、ローション組成物と、を含む、吸収性物品。
【請求項２】
前記ローションが、身体治療剤及び粘度調整剤の少なくとも１つを更に含む、請求項１に記載のローション。
【請求項３】
前記ローションがキャリアを含む、請求項１又は２に記載の吸収性物品。
【請求項４】
前記キャリアが、前記ローションの約５重量％〜約９５重量％の量で存在する、請求項３に記載の吸収性物品。
【請求項５】
前記キャリアが鉱油を含む、請求項３又は４に記載の吸収性物品。
【請求項６】
前記組成物が、約０．１重量％〜約６０重量％の、（ａ）約１．５〜約１０のＨＬＢ値を有する液体界面活性剤、（ｂ）約５〜約１３のＨＬＢ値を有する固体界面活性剤、及び（ｃ）これらの混合物からなる群から選択される表面エネルギー調整剤を含む、請求項１〜５のいずれか一項に記載の吸収性物品。
【請求項７】
前記液体界面活性剤が、ＰＯＥ−４モノラウレート、ＰＯＥ−４ジラウレート、ＰＯＥ−８ジオレエート、オレス−２、オレス−３、ＰＰＧ−１５ステアリルエーテル、及びＰＰＧ−３ミリスチルエーテルからなる群から選択される、請求項６に記載の吸収性物品。
【請求項８】
前記固体界面活性剤が、ＰＯＥ−８ステアレート、ＰＯＥ−８ジステアレート、ＰＯＥ−１２ジステアレート、ステアレス−１０、及びセテアレス−１０からなる群から選択される、請求項６に記載の吸収性物品。
【請求項９】
前記身体治療剤が酸化亜鉛を含み、前記粘度調整剤がヒュームドシリカを含む、請求項２〜８のいずれか一項に記載の吸収性物品。
【請求項１０】
前記ローション組成物が、前記ローション組成物により被覆される領域の平方メートルあたり約０．０１グラム〜平方メートルあたり約１００グラムの量で適用される、請求項１〜９のいずれか一項に記載の吸収性物品。
【発明の詳細な説明】
【技術分野】
【０００１】
本出願は、経血を吸収するためのタンポン及び生理用ナプキンのような生理用品を含む吸収性物品に関する。より詳細には、本発明は、レオロジー構造剤と、表面エネルギー調整剤とを含むローション組成物を含み、ローション組成物が用品の外表面に適用される、生理用品に関する。
【背景技術】
【０００２】
ローション付きトップシートを有するおむつ、トレーニングパンツ、及び生理用品のような使い捨て吸収性物品は既知である。様々な種類のローション類は、皮膚発疹の予防又は治療などの、様々な皮膚効果をもたらすことも知られている。これらのローションは例えば、吸収性物品のトップシートに塗布することができ、使用中に着用者の皮膚に転写可能である。
【０００３】
多くの種類の使い捨て吸収性物品と異なり、パッド及びパンティライナーのような生理用品は特に、月経液を獲得するように設計されている。月経液は、多くの重要な特性、例えば、粘度、固形物、化学成分、及び／又は色内容などにおいて、他の排出物、例えば、尿とは異なる。したがって生理用品は、その構成要素において乳幼児用おむつなどの他の吸収性物品とは異なり、月経液の吸収を最適化する。
【０００４】
吸収性製品のトップシートの身体側表面を処理すると、皮膚の健康上の利益をもたらし、尿又は経血などの流体を吸収性製品内に吸収できるようになる。皮膚の健康上の利益としては、身体表面に接触する体液による直接的汚染の低減、及び／又は、皮膚機能を改善するための成分、すなわち皮膚保護剤の送達が挙げられる。とはいえ、これらの処理は体液の獲得を妨げることが知られており、流体獲得に対する影響を最小限に抑えるために、トップシートの身体側表面の領域上にこれらの処理を施すような戦略が意図されている。
【０００５】
皮膚の健康上の利益をもたらすために、女性用衛生製品のトップシートの身体側表面を処理することが提案されており、同様に、月経液の獲得の妨害を最小限に抑えるために、処理の配置が一般に意図される。にもかかわらず、多くの場合、体液との接触が繰り返されると、トップシート表面上に血液細胞又はその他汚れが付着するため、トップシート処理の効果がなくなる。更に、この処理により、外観が不潔、つまり汚れたトップシート及び／又は嫌なにおいなど、女性用衛生製品のユーザーに対して、不良品のような悪い兆候を引き起こす場合がある。この種のトップシート上の処理は、皮膚の健康上の利益の悪化、及び使用済み女性用衛生製品の許容し難い外観をもたらすことがある。
【発明の概要】
【発明が解決しようとする課題】
【０００６】
したがって、流体が体から離れ、トップシートを通過して物品の吸収性コア内へ移行するのを促進する、女性用衛生物品の処理を提供することが有益である。
【０００７】
加えて、制御された様式での、月経液のような流体の移動を可能にする女性用衛生物品の処理を提供することが有益である。
【０００８】
更に、特に複数回体液と接触した後に、トップシートと着用者の皮膚の双方の清浄な外観が高まる方法で、月経液などの流体の移動が促進される、女性用衛生物品の処理を提供することが有益である。
【０００９】
また、トップシート及び物品の着用者の皮膚において、経血中に存在するタンパク質、脂質、及び炭水化物による汚染に対して抵抗性のある、女性用衛生物品の処理を提供することも有益である。
【課題を解決するための手段】
【００１０】
吸収性物品が提供される。吸収性物品は、液体透過性トップシートを含み、このトップシートは、吸収性物品の内側に向けられる内表面、及び吸収性物品が着用された際に着用者の皮膚に向けられる外表面を有する。吸収性物品は、トップシートに接合されるバックシートを含み、このバックシートは、吸収性物品の内側に向けられる内表面、及び吸収性物品が着用された際に着用者の衣類に向けられる外表面を有する。吸収性物品は、トップシートとバックシートとの間に配置される吸収性コアを含み、この吸収性コアは、吸収性物品が着用された際に着用者の皮膚に向けられる内表面、及び吸収性物品が着用された際に着用者の衣類に向けられる外表面を有する。
【００１１】
吸収性物品は、トップシートの外表面の少なくとも一部に適用されるローション組成物を含む。ローション組成物は、約０．１重量％〜約９０重量％の、微晶性ワックス、アルキルジメチコーン、エチレングリコールジベヘネート、エチレングリコールジステアレート、グリセロールトリベヘネート、グリセロールトリステアレート、及びエチレンビスオレアミドからなる群から選択されるレオロジー構造剤を含む。
【００１２】
ａ）約０．１重量％〜約９０重量％の、微晶性ワックス、アルキルジメチコーン、エチレングリコールジベヘネート、エチレングリコールジステアレート、グリセロールトリベヘネート、グリセロールトリステアレート、及びエチレンビスオレアミドからなる群から選択されるレオロジー構造剤と、ｂ）約０重量％〜約６０重量％の、（ａ）約１．５〜約１０のＨＬＢ値を有する液体界面活性剤、（ｂ）約５〜約１３のＨＬＢ値を有する固体界面活性剤、及び（ｃ）これらの混合物からなる群から選択される表面エネルギー調整剤と、ｃ）約５重量％〜約９５重量％のキャリアと、を含むローション組成物も提供される。
【図面の簡単な説明】
【００１３】
本明細書の末尾には、本発明の主題を具体的に特定すると共に個別に請求する「特許請求の範囲」が添付されているが、本発明は以下の説明を付属の図面と共に参照することで更に容易に理解されると考えられる。
【図１】代表的な生理用品の平面図。
【図２ａ】本発明のローション組成物又は商業的に用いられているローションで得られるタンパク質汚染の低下を示す、時間に対するＩＲ吸光度のプロットを示す。
【図２ｂ】本発明のローション組成物又は商業的に用いられているローションで得られるタンパク質汚染の低下を示す、時間に対するＩＲ吸光度のプロットを示す。
【図２ｃ】本発明のローション組成物又は商業的に用いられているローションで得られるタンパク質汚染の低下を示す、時間に対するＩＲ吸光度のプロットを示す。
【図２ｄ】本発明のローション組成物又は商業的に用いられているローションで得られるタンパク質汚染の低下を示す、時間に対するＩＲ吸光度のプロットを示す。
【図３ａ】本発明のローション組成物又は商業的に用いられているローションで得られる炭水化物汚染の低下を示す、時間に対するＩＲ吸光度のプロットを示す。
【図３ｂ】本発明のローション組成物又は商業的に用いられているローションで得られる炭水化物汚染の低下を示す、時間に対するＩＲ吸光度のプロットを示す。
【図３ｃ】本発明のローション組成物又は商業的に用いられているローションで得られる炭水化物汚染の低下を示す、時間に対するＩＲ吸光度のプロットを示す。
【図３ｄ】本発明のローション組成物又は商業的に用いられているローションで得られる炭水化物汚染の低下を示す、時間に対するＩＲ吸光度のプロットを示す。
【図４ａ】本発明のローション組成物又は商業的に用いられているローションで得られる脂質汚染の低下を示す、時間に対するＩＲ吸光度のプロットを示す。
【図４ｂ】本発明のローション組成物又は商業的に用いられているローションで得られる脂質汚染の低下を示す、時間に対するＩＲ吸光度のプロットを示す。
【図４ｃ】本発明のローション組成物又は商業的に用いられているローションで得られる脂質汚染の低下を示す、時間に対するＩＲ吸光度のプロットを示す。
【図４ｄ】本発明のローション組成物又は商業的に用いられているローションで得られる脂質汚染の低下を示す、時間に対するＩＲ吸光度のプロットを示す。
【発明を実施するための形態】
【００１４】
本発明は、ローション組成物、及び物品に適用されるローション処理組成物を有する吸収性物品、特に使い捨て吸収性物品を目的とする。使い捨て吸収性物品は、失禁用具、及び、タンポン、生理用ナプキン、パンティライナー、陰唇間製品等のような生理用品を含む、乳幼児用おむつ又は女性用衛生物品であってよい。便宜上、本発明は、生理用ナプキン又はパンティライナーのような生理用品の実施形態に関して、以下に開示する。
【００１５】
図１は、例えば、トップシート１４の外表面を含む身体接触面１２、トップシート１４に接合する液体不透過性バックシート１６、及び吸収性コア１８を有する、生理用ナプキン１０を示す。生理用ナプキン１０は長手方向軸Ｌを有し、また当該技術分野において既知の「ウィング」又は「フラップ」２０、及び／又は第２のトップシート、及び／又は流体獲得層、及び／又は吸収性コア１８への流体輸送を促進するように設計された他の層などの、ナプキンに一般的に見られる追加的特徴を備えてもよい。同様に、生理用ナプキンのトップシート１４は、当該技術分野において既知の様々な任意の特徴を有することができる。例えば、トップシート１４はその中に流体の流れを導くエンボス加工された１つ以上のチャネル、それらを通して流体を獲得するのに役立つ開口部、及びその上で又はそれを通して可視である印刷されたシグナルを有することができ、この可視シグナルは、機能的及び審美的特性を目的としてトップシート又はその下層上に印刷されている。生理用ナプキン１０は、その上に適用されるローション組成物を有する。
【００１６】
吸収性物品は、規格に適合し、柔らかな感触で、着用者の身体に刺激がないものなど、いずれか既知の又はその他の有効なトップシートを含んでよい。好適なトップシート材料としては、着用者の身体の方に向き、かつ身体に接触することで、流体がトップシートを通って着用者の皮膚に逆流することなく、身体の排泄物がトップシートを通って迅速に浸透できる、液体透過性材料が挙げられる。トップシートが、トップシートを通る流体の迅速な移動を可能にできる一方、ローション組成物が着用者の身体の外側又は内側部分上へ移動又は移行するようにする。好適なトップシートは、生理用ナプキン、パンティライナー、失禁パッド等のような生理用品を製造する当該技術分野において周知である、織布材料及び不織布材料；孔あき成形熱可塑性フィルム、孔あきプラスチックフィルム、及び交絡加工繊維孔あきフィルムを含む孔あきフィルム材料；ハイドロフォーミングされた熱可塑性フィルム；多孔質発泡体；網状発泡体；網状熱可塑性フィルム；熱可塑性スクリム；又はこれらの組み合わせのような種々の材料から製造することができる。
【００１７】
トップシートが不織布ウェブの形態の不織布繊維性材料を含むとき、不織布ウェブは不織布ウェブを作製する任意の既知の手順により製造されてよく、この非限定的な例としては、スパンボンディング、カーディング、ウェットレイド、エアレイド、メルトブローン、ニードルパンチング、機械交絡、熱機械交絡及び水流交絡が挙げられる。
【００１８】
吸収性物品のトップシートは、例えば、米国特許第４，６２９，６４３号、同第７，１７２，８０１号、同第７，２７０，８６１号、同第７，４１０，６８３号、同第７，５０７，４５９号、同第７，５２１，５８８号、同第７，５５３，５３２号、同第７，６４８，７５２号、同第７，６７０，６６５号、同第７，７１８，２４３号、同第７，７３２，６５７号、及び同第７，７８５，６９０号に記載されるような任意の好適なトップシートであってよい。
【００１９】
また、本発明の生理用品はバックシートも含んでよい。バックシートは、任意の既知の又は他の有効なバックシート材料であることができるが、ただし、バックシートが、生理用品に吸収され、収容された排出物が外部に漏れるのを防止することを条件とする。バックシートとしての使用に好適な可撓性材料としては、生理用ナプキン、パンティライナー、失禁パッド等のような生理用品を製造する当該技術分野において周知である、織布材料及び不織布材料、積層組織、ポリエチレン及び／若しくはポリプロピレンの熱可塑性フィルムのような高分子フィルム、フィルムコーティングされた不織布材料のような複合材又はこれらの組み合わせが挙げられるが、これらに限定されない。
【００２０】
生理用品は吸収性コアも含む。吸収性コアは典型的には、トップシートとバックシートとの間に配置される。本明細書で使用する「吸収性コア」という用語は、尿、血液、経血、及び身体滲出液中に見出される水分のような水性流体を、吸収、分配、及び貯蔵するために好適な材料又は材料の組み合わせを指す。吸収性コアの寸法及び形状は、吸収能力要件に適合するように、並びに、着用者／ユーザーに快適性を提供するように変更することができる。本発明に用いるのに好適な吸収性コアは、吸収性物品に用いられる技術分野において既知の任意の液体吸収性材料であることができるが、ただし、この液体吸収性材料が、吸収能力要件に適合するように構成又は構築できることを条件とする。吸収性コアとしての使用に好適な液体吸収性材料の非限定例としては、生理用ナプキン、パンティライナー、失禁パッド等のような生理用品を製造する当該技術分野において周知である、一般的にエアフェルトと称される粉砕木材パルプ、捲縮セルロース塊、ヒドロゲル形成性ポリマーゲル化剤のような超吸収性ポリマーを含む吸収性ゲル材料、化学的に硬化、変性、又は架橋されたセルロース繊維、コフォームを含むメルトブローポリマー、けん縮ポリエステル繊維を含む合成繊維、ティッシュラップ及びティッシュラミネートを含むティッシュ、毛管路繊維、吸収性フォーム、吸収性スポンジ、合成ステープルファイバー、ピートモス、若しくはいずれかの同等の材料、又はこれらの組み合わせが挙げられる。
【００２１】
本発明の生理用品はローション組成物２２を含み、このローション組成物は、レオロジー構造剤と、表面エネルギー調整剤とを含む。例えば、米国特許第６，４２６，４４４号及び同第７，６２６，０７３号、並びに米国特許公開第２００５／０１３７５４４号及び同第２００６／０１３５９２０号に記載のように、ローション組成物２２は、トップシート１４に、例えばトップシート１４の外表面（すなわち、身体に面する表面）になど、任意の周知の方法で、任意の周知のパターンで適用できる。例えば、特定の実施形態では、ローション組成物は、トップシートなどの吸収性物品の表面全体に、又はその一部に、均一又は不均一（例えば、斑点状、渦巻状、縞状、帯状、若しくは外縁に沿って、又はこれらの任意の組み合わせ）のいずれかで適用してよい。
【００２２】
「不均一」とは、ローション組成物の量、場所、分配パターンなどが、トップシート表面にわたって可変であることを意味する。例えば、トップシートの処理表面のある部分は、その上にローション組成物を含まない表面部分を含めて、多い又は少ない量のローション組成物を有することができる。特定の実施形態では、トップシートの表面は、特に物品の股部に対応するトップシートの領域に、ローションが適用されない部分を有し得る。トップシートが分離した未処理部分を含む実施形態では、物品の股部に対応するトップシート部分の空き領域の割合は、任意の好適な寸法であってよい。
【００２３】
ローションが不均一に適用されるとき、例えば、小液滴（例えば噴霧により得られる）、分離した点（例えばグラビア印刷により得られる）、物品の長手方向又は横方向に走る縞の適用などを含む、任意のローションパターンを利用してよい。加えて、あるいは別の方法として、吸収性物品中に存在するとき、ローション組成物をチャネル又はエンボス加工された領域付近に配置してよい。トップシートの外表面（すなわち、身体に面する表面）へのローション組成物の適用に関し、ローション組成物は、経血のような体液の固体成分の、トップシートの外表面への付着の軽減に役立ち、それによって、吸収性物品のトップシートの染みがより少なくなると考えられる。トップシートへのローションの適用はまた、ローションの一部が着用者の皮膚に移動するのを可能にし、着用者の皮膚の汚染をより少なくする。トップシートの外表面に適用されると、ローション組成物はまた、吸収性物品中への体液のより効率的な獲得に役立つことができる。
【００２４】
ローション組成物は、所望の流体処理特性及び所望の着用者の皮膚の処理に応じて、様々な追加濃度で適用できる。例えば、生理用品を含む特定の実施形態では、ローション量は様々であってよく、特定の要件に適応し得る。例えば、理論に縛られるものではないが、ローションは平方メートル（「ｇｓｍ」）あたり約０．０１グラム、約０．０５ｇｓｍ、約０．１ｇｓｍ、約０．５、約１ｇｓｍ、約２ｇｓｍ、約３ｇｓｍ、約４ｇｓｍ、約５ｇｓｍ、約１０ｇｓｍ、約２５ｇｓｍ、約５０ｇｓｍ、又は約１００ｇｓｍの濃度で付加することができると考えられる。ローションは、上記で列挙した濃度のいずれかにより規定される範囲（例えば、約０．０１ｇｓｍ〜約１００ｇｓｍ）内で適用することができる。これらの濃度は、ローションにより実際に被覆される表面の領域に関する。特定の実施形態では、生理用品の構成要素に適用されるローション組成物の最低濃度は、その構成要素への経血の付着を低減するのに有効な量であってよい。
【００２５】
本発明のローション組成物２２は、既知のローションより顕著に優る利点がある。この利点は、経血を吸収するための生理用品で特に重要である。理論に縛られるものではないが、本明細書に開示されるローションの優れた流体処理特性は、経血の水成分に作用する表面エネルギー処理とは対照的に、ローションが経血の固体成分に作用する方法に起因すると考えられる。既知の表面エネルギー処理は、表面エネルギー処理の効果を複雑にする経血中の極性かつ分散性成分の存在に起因して、それほど有効ではない場合がある。更に多くの場合、処理された表面の表面エネルギーは、経血の固体成分が表面に付着してその表面へ向かうのを誘導する成分を処理組成物が含有する場合、経血と最初に接触した後に劇的に変化し、より低い自由エネルギーに到達し得る。本明細書に開示されるローションは経血に容易に溶けないため、繰り返しの接触後も経血中に溶解することなく表面を効果的にコーティングして、水和バリアを提供することができ、また体液の固体成分に対する耐付着性により、経血が使い捨て吸収性物品及び着用者の皮膚の表面を汚染する傾向が低くなる。着用者の皮膚及び／又はトップシートの汚染が低減されると、流体の移動がより良好かつより迅速に、並びに使用された製品上での目に見える染みパターンがより少なくなる。
【００２６】
一実施形態では、トップシート１４は親水性であってよく、又は親水性にすることができ、ローションは親水性であってよい。親水性又は疎水性の水準は、平衡状態で材料の表面上に水滴が作り出す角度を測定するような、標準的な技術により決定することができる。一般に、本発明の目的において、水滴が約６０°以下の角度を示すとき、材料は親水性であると考えられる。繊維のポリマーから形成されるフィルムシートが６０°未満、７５°未満、及び約９０°未満である水との接触角を示すとき、繊維は親水性であると考えられる。親水性の尺度としての接触角は当該技術分野において周知であり、接触角を測定する方法も同様に周知である。同様に周知であるように、約９０°を超える接触角は、疎水性とみなされる。
【００２７】
本発明のローション組成物は、典型的には固体である少なくとも１つのレオロジー構造剤を含む。ローション組成物は更に、表面エネルギー調整剤などの他の任意成分を含んでよい。一実施形態では、ローション組成物は、微晶性ワックス、アルキルジメチコーン、エチレングリコールジベヘネート、エチレングリコールジステアレート、グリセロールトリベヘネート、グリセロールトリステアレート、及びエチレンビスオレアミドなどのレオロジー構造剤から本質的になる、又はこれらからなる。本発明のローション組成物は、単一のレオロジー構造剤、又は２つ以上のレオロジー構造剤の混合物を含有してよい。
【００２８】
「レオロジー構造剤」は、ローション成分のトップシート上への固定化、及びトップシートを通過して吸収性コア内への移行阻害を促進する物質である。ローションが吸収性コアに移行する場合、コアの吸収特性が低下し、有益な効果を得るためには、より多くのローションをトップシートに適用しなくてはならない。レオロジー構造剤は、ローションの一部を皮膚に移動させるのにも役立つことができ、着用時に目的の感覚を供給する。典型的には、ローション適用後、レオロジー構造剤はトップシート上で迅速に固化する。
【００２９】
したがって、本発明のローション組成物は、ローション組成物約０．１重量％〜９０重量％の量のレオロジー構造剤を含む。好ましい実施形態では、ローション組成物は、ローション組成物の約１重量％〜約５０重量％のレオロジー構造剤を含む。より好ましい実施形態では、ローション組成物は、ローション組成物の約３重量％〜約３０重量％のレオロジー構造剤を含む。
【００３０】
本発明のローション組成物は、任意の表面エネルギー調整剤を含有してもよい。表面エネルギー調整剤は、ローションの０重量％〜約６０重量％、好ましくは約０重量％〜約５０重量％の量で、ローション中に存在する。より好ましくは、表面エネルギー調整剤は、ローションの約０重量％〜約３０重量％の量で存在する。
【００３１】
ローション組成物中で利用される表面エネルギー調整剤は、（ａ）約１．５〜約１０のＨＬＢ値を有する液体非イオン性界面活性剤、（ｂ）約５〜約１３．６のＨＬＢ値を有する固体非イオン性界面活性剤、及び（ｃ）これらの混合物からなる群から選択される。本明細書で想到される混合物として、２つ以上の液体界面活性剤の混合物、２つ以上の固体界面活性剤の混合物、１つ以上の液体界面活性剤と１つ以上の固体界面活性剤との混合物が挙げられる。
【００３２】
ＨＬＢ値は周知であり、当業者によって理解される。特定の非イオン性界面活性剤のＨＬＢ値は、典型的には公表された技術データシート中にあり、ＭｃＣｕｔｃｈｅｏｎ’ｓ  Ｅｍｕｌｓｉｆｉｅｒｓ  ａｎｄ  Ｄｅｔｅｒｇｅｎｔｓ，Ｎｏｒｔｈ  Ａｍｅｒｉｃａｎ  ａｎｄ  Ｉｎｔｅｒｎａｔｉｏｎａｌ  Ｅｄｉｔｉｏｎｓ．ＭＣ  Ｐｕｂｌｉｓｈｉｎｇ  Ｃｏ．，Ｇｌｅｎ  Ｒｏｃｋ．Ｎ．Ｊ．（１９９３）などの界面活性剤の標準的文献に見出すことができる。別の方法としては、特定の非イオン性界面活性剤のＨＬＢ値は、界面活性剤中のオキシエチレンの重量パーセントを５で除する（エトキシ部分のみを含む界面活性剤の場合）ことにより推定できる。
【００３３】
約１．５〜約１０のＨＬＢ値を有する液体非イオン性界面活性剤の非限定例は、ＰＯＥ−４モノラウレート、ＰＯＥ−４ジラウレート、ＰＯＥ−８ジオレエート、オレス−２、オレス−３、ＰＰＧ−１５ステアリルエーテル、及びＰＰＧ−３ミリスチルエーテルである。
【００３４】
約５．０〜約１３．６のＨＬＢ値を有する固体非イオン性界面活性剤の非限定例は、ＰＯＥ−８ステアレート、ＰＯＥ−８ジステアレート、ＰＯＥ−１２ジステアレート、ステアレス−１０、及びセテアレス（cetereth）−１０である。好ましい固体非イオン性界面活性剤は、約３７℃〜約４５℃の融点を有する。
【００３５】
レオロジー構造剤及び任意の表面エネルギー調整剤に加えて、本発明のローション組成物は所望により、特に吸収性物品の適用によってローション組成物が身体に投与されるとき、紅斑、悪臭、及び細菌性皮膚疾患の予防及び治療に極めて有効な１つ以上の身体治療剤、例えば、ヘキサミジン、酸化亜鉛、及びナイアシンアミドを更に含んでよい。追加の身体治療剤は、米国特許公開第２００５／０１２９６５１号に開示されている。
【００３６】
また本発明のローション組成物は、生理用品のローションとして当業者に周知の追加の任意成分を含んでもよい。１つのそのような任意成分は、ローションの粘度を所望のレベルに調節するヒュームドシリカである。追加の粘性剤及び増粘剤は、米国特許公開第２００５／０１２９６５１号に開示されている。その他の任意成分として、ローション組成物に悪影響を与えることなく意図する機能を果たすために、それぞれが例えばローション組成物の約０．００１重量％〜約５重量％の量である、グリセリン、カミツレ、皮膚コンディショナー、香料、防臭剤、防腐剤、収れん剤、乳白剤、タンパク質、尿素、レシチン、脂肪、油、芳香油、ｐＨ調整剤、及び抗菌剤が挙げられる。
【００３７】
本発明のローション組成物は更に、キャリアを含む。キャリアは、単独のキャリア、又は２種類以上のキャリアのブレンドであってよいが、ただし、総キャリア濃度は、レオロジー構造剤、表面エネルギー調整剤、及び／若しくは任意の身体治療剤が、身体へ移動及び／若しくは移行し、並びに／又は汚染問題を生じさせることなく、吸収性物品内への流体獲得を促進するのに十分なものである。キャリアは液体、固体、若しくは半固体キャリア材料又はこれらの材料の混合物であってよいが、ただし得られるキャリアは、得られるキャリア系のために選択された加工温度、及び本明細書のローション組成物を配合する際にキャリア系と皮膚治療剤を混合するための加工温度において、均一な混合物、溶液、安定なエマルション、又は安定な分散液を形成する。好ましいキャリア系は、最終ローションを、周囲温度で半固体又は固体、体温で液体又は半固体、及び６０〜９０℃で加工可能な粘度を有する液体になるようにするであろう。
【００３８】
本発明のローション組成物は、ローション組成物の約５重量％〜約９５重量％、好ましくは約１０重量％〜約８５重量％、より好ましくは約３０重量％〜約８０重量％の量のキャリアを含む。好適なキャリア化合物としては、約８〜約３２個の炭素原子を有する石油系炭化水素、約１２〜約１８個の炭素原子を有する脂肪アルコール、ポリシロキサン化合物、脂肪酸エステル、アルキルエトキシレート、約２〜約６個の炭素原子を有する低級アルコール、低分子量グリコール及びポリオール、約１２〜約２２個の炭素原子をその脂肪鎖中に有する脂肪アルコールエーテル、ラノリン及びその誘導体、Ｃ１２〜Ｃ２２脂肪酸のエチレングリコール誘導体、Ｃ１２〜Ｃ１８脂肪酸のアセトグリセリド及びエトキシル化グリセリドなどのグリセリド及びその誘導体、並びにこれらの混合物が挙げられる。別の方法として又は組み合わせて、キャリアはポリシロキサン化合物の非限定例を含んでもよく、Ｃ１２〜Ｃ２８アルキルジメチコーン、Ｃ１２〜Ｃ２８アルキルメチコン、アルキル化シリコーン（ヘアコンディショニング剤）、シリコーンワックス、シリコーンのコポリマー（ビニルジメチコーンポリマー、フェニルビニルジメチコーンポリマー、アルキル化シリコーンポリマー、ポリエチレンオキシド／シリコーンコポリマー、ポリエチレンオキシド／ポリプロピレン（polypropolene）オキシド／シリコーンコポリマー、ポリプロピレンオキシド／シリコーンコポリマー、ポリエチレンオキシド／アルキルシリコーンコポリマー、ポリエチレンオキシド／プロピレンオキシド／アルキルシリコーンコポリマー、ポリプロピレンオキシド／アルキルシリコーンコポリマー）、及びこれらの混合物が挙げられる。
【００３９】
約８個〜約３２個の炭素原子を有する好適な石油系炭化水素の非限定的な実施例としては、鉱物油、鉱油、イソパラフィン、様々なその他の分枝鎖炭化水素、及びこれらの組み合わせが挙げられる。鉱物油は「鉱油」としても既知であり、通常は約１６〜約２０個の炭素原子を有する炭化水素のより粘稠でない混合物を指す。また鉱油は、「ミネラルワックス」、「石油ゼリー」、及び「ミネラルゼリー」としても既知であり、通常は約１６〜約３２個の炭素原子を有する炭化水素の半結晶混合物を指す。市販のワセリンの例として、Ｓｏｎｎｅｂｏｒｎ  Ｃｏｒｐｏｒａｔｉｏｎ（Ｐｅｔｒｏｌｉａ，Ｐｅｎｎｓｙｌｖａｎｉａ）より入手可能な白色ＰＲＯＴＯＰＥＴ（登録商標）−１Ｓとして販売されるワセリンが挙げられる。
【００４０】
その他好適なキャリアとしては、油又は脂肪、例えば、天然油若しくは天然脂肪、又は天然油若しくは天然脂肪誘導体、特に植物性又は動物性のものが挙げられる。非限定的な例としては、アボカド油、アンズ油、杏仁油（kernel oil）、ババス油、ルリヂサ油、ルリヂサ種油、キンセンカ油、ツバキ油、キャノーラ油、ニンジン油、カシューナッツ油、ヒマシ油、カモミール油、サクランボ種油、チーア油、ココナッツ油、タラ肝油、トウモロコシ油、トウモロコシ胚芽油、綿実油、ユーカリ油、月見草油、グレープシード油、へーゼルナッツ油、ホホバ油、ジュニパー油、核油、亜麻仁油、マカダミア油、メドウフォーム種油、メンハーデン油、ミンク油、ワサビノキ油、モルティエラ油、オリーブ油、パーム油、パーム核油、ピーナッツ油、桃仁油（peach kerne）、菜種油、ローズヒップ油、ベニバナ油、サンドルウッド油、ゴマ油、大豆油、ヒマワリ油、ヒマワリ種油、スイートアーモンド油、トール油、ティーツリー油、カブ種油、クルミ油、小麦粉芽油、ガジュツ油（zadoary oil）、又はこれらの硬化誘導体が挙げられる。植物性の硬化油又は脂肪としては、例えば、硬化ヒマシ油、ピーナッツ油、大豆油、カブ種油、綿実油、ヒマワリ油、パーム油、核油、亜麻仁油、トウモロコシ油、オリーブ油、ゴマ油、カカオバター、シアバター、及びココナッツ油が挙げられる。
【００４１】
脂肪及び油のその他の非限定例としては、バター、Ｃ１２〜Ｃ１８脂肪酸トリグリセリド、ツバキ油、カプリル酸／カプリン酸／ラウリン酸トリグリセリド、カプリル酸／カプリン酸／リノール酸トリグリセリド、カプリル酸／カプリン酸／ステアリン酸トリグリセリド、カプリル酸／カプリン酸トリグリセリド、カカオバター、卵オイル、エポキシ化大豆油、グリセリルトリアセチルヒドロキシステアレート、グリセリルトリアセチルリシノレエート、グリコスフィンゴリピド、ヒト胎盤脂質、ハイブリッドベニバナ油、ハイブリッドヒマワリ種子油、硬化ヒマシ油、硬化ヒマシ油ラウレート、水素添加ココナッツ油、水素添加綿実油、水素添加Ｃ１２〜Ｃ１８トリグリセリド、水素添加魚油、水素添加ラード、水素添加メンハーデン油、水素添加ミンク油、水素添加オレンジ・ラフィー油、水素添加パーム核油、水素添加パーム油、水素添加ピーナッツオイル、水素添加サメ肝油、水素添加大豆油、水素添加タロー、水素添加植物油、ラノリン及びラノリン誘導体、ラノリンアルコール、ラード、ラウリン酸／パルミチン酸／オレイントリグリセリド、レスケレラ油、マレイン酸変性大豆油、メドウフォーム油、牛脚油、オレイン酸／リノール酸トリグリセリド、オレイン酸／パルミチン酸／ラウリン酸／ミリスチン酸／リノール酸トリグリセリド、オレオステアリン、オリーブハスク油、大網脂質、オレンジ・ラフィー油、ペンガワー・ジャンビオイル、ペンタデスマバター、リン脂質、ピスタチオナット油、胎盤脂質、菜種油、ぬか油、サメ肝油、シアバター、スフィンゴ脂質、タロー、トリベヘニン、トリカプリン、トリカプリリン、トリヘプタノイン、トリヒドロキシメトキシステアリン、トリヒドロキシステアリン、トリイソノナノイン、トリイソステアリン、トリラウリン、トリリノレイン、トリリノレニン、トリミリスチン、トリオクタノイン、トリオレイン、トリパルミチン、トリセバシン、トリステアリン、トリウンデカノイン、植物油、ふすま脂質等、並びにこれらの混合物が挙げられる。
【００４２】
他の好適なキャリアとしては、モノ−又はジ−グリセリド、例えば、飽和又は不飽和、直鎖又は分岐鎖、置換又は非置換の脂肪酸又は脂肪酸混合物が挙げられる。モノ−又はジ−グリセリドの例としては、モノ−又はジ−Ｃ１２〜１８脂肪酸グリセリド、特にモノ−又はジ−Ｃ１４〜１８脂肪酸グリセリド、例えばグリセリルモノミリステート、グリセリルジミリステート、グリセリルモノパルミテート及びグリセリルジパルミテートが挙げられる。
【００４３】
また、キャリアとして、直鎖又は分枝鎖、飽和又は不飽和Ｃ６〜Ｃ２２脂肪酸のジオール又はポリオールとのエステルも挙げてよい。非限定例としては、エチレングリコールモノミリステート、エチレングリコールジミリステート、エチレングリコールパルミテート、エチレングリコールジパルミテート、エチレングリコールジ（ヒドロキシルステアレート）、グリセリルジミリステート、グリセリルトリミリステート、グリセリルジパルミテート、グリセリルトリパルミテート、グリセリルトリ（ヒドロキシステアレート）、ソルビタンモノミリステート、ソルビタンジミリステート、ソルビタントリミリステート、ソルビタンモノオレエート、ソルビタンジオレエート、ソルビタントリオレエート、ソルビタンモノリシノレエート、ソルビタンジリシノレエート、ソルビタントリリシノレエート、ソルビタンジ（ヒドロキシステアレート）、ソルビタントリ（ヒドロキシステアレート）、スクロースモノミリステート、スクロースジミリステート、スクローストリミリステート、スクローステトラミリステート、スクロースモノパルミテート、スクロースジパルミテート、スクローストリパルミテート、スクローステトラパルミテート、スクローステトラオレエート、ペンタエリスリチルジミリステート、ペンタエリスリチルトリミリステート、ペンタエリスリチルテトラミリステート、ペンタエリスリチルジパルミテート、ペンタエリスリチルトリパルミテート、ペンタエリスリチルテトラパルミテート、及びこれらの混合物が挙げられる。
【００４４】
本発明のキャリアとしてはまた、ステロール、フィトステロール、及びステロール誘導体が挙げられる。本発明のローション組成物で使用可能なステロール及びステロール誘導体としては、１７位にテールを有し、極性基を有さないβ−ステロール、例えば、コレステロール、シトステロール、スチグマステロール、及びエルゴステロール、並びにＣ１０〜Ｃ３０コレステロール／ラノステロールエステル、コレカルシフェロール、コレステリルヒドロキシステアレート、コレステリルイソステアレート、コレステリルステアレート、７−デヒドロコレステロール、ジヒドロコレステロール、ジヒドロコレステリルオクチルデカノエート、ジヒドロラノステロール、ジヒドロラノステリルオクチルデカノエート、エルゴカルシフェロール、トール油ステロール、大豆ステロールアセテート、ラナステロール、大豆ステロール、アボカドステロール、「ＡＶＯＣＡＤＩＮ」（Ｃｒｏｄａ  Ｌｔｄ．（Ｐａｒｓｉｐｐａｎｙ，Ｎ．Ｊ．）の商品名）、ステロールエステル及び類似化合物、並びにこれらの混合物が挙げられるが、これらに限定されない。フィトステロールの市販の例は、Ｃｏｇｎｉｓ  Ｃｏｒｐｏｒａｔｉｏｎ（Ｃｉｎｃｉｎｎａｔｉ，Ｏｈｉｏ）のＧＥＮＥＲＯＬ  １２２  Ｎ  ＰＲＬ精製大豆ステロールである。
【００４５】
約１２〜約１８個の炭素原子を有する好適な脂肪アルコールの非限定例として、融点が約１１０℃未満、好ましくは約４５℃〜約９０℃の飽和、未置換の一価アルコール又はこれらの組み合わせが挙げられる。本発明のローション組成物に使用する脂肪アルコールキャリアの特定例としては、セチルアルコール、ステアリルアルコール、セテアリルアルコール、及びこれらの組み合わせが挙げられるが、これらに限定されない。市販のセテアリルアルコールの例は、Ｃｏｇｎｉｓ  Ｃｏｒｐｏｒａｔｉｏｎ（Ｃｉｎｃｉｎｎａｔｉ，Ｏｈｉｏ）から入手できるＳＴＥＮＯＬ  １８２２である。
【００４６】
好適な脂肪酸エステルの非限定例としては、飽和（Ｃ１２〜Ｃ２８、好ましくはＣ１６〜Ｃ２４）脂肪酸と短鎖（Ｃ１〜Ｃ８、好ましくはＣ１〜Ｃ３）一価アルコールとの混合物、Ｃ１２〜Ｃ２２ヒドロキシ脂肪酸と短鎖（Ｃ１〜Ｃ８、好ましくはＣ１〜Ｃ３）一価アルコールとの混合物、飽和（Ｃ１２〜Ｃ２８、好ましくはＣ１６〜Ｃ２４）脂肪酸と不飽和（Ｃ３〜Ｃ１８、好ましくはＣ８〜Ｃ１８）一価アルコールとの混合物、又はＣ１２〜Ｃ２２ヒドロキシ脂肪酸と不飽和（Ｃ３〜Ｃ１８、好ましくはＣ８〜Ｃ１８）一価アルコールとの混合物由来の脂肪酸エステルが挙げられる。また好適な脂肪酸エステルは、より長鎖の飽和（Ｃ１２〜Ｃ２８、好ましくはＣ１４〜Ｃ２２）脂肪アルコールとより短鎖の脂肪酸、例えば乳酸のエステル、又はより長鎖の飽和脂肪アルコール（Ｃ１２〜Ｃ２８、好ましくはＣ１４〜Ｃ２２）と不飽和脂肪酸、例えばオレイン酸のエステル由来であってもよい。好適な脂肪酸エステルの代表例としては、メチルパルミテート、メチルステアレート、メチルヒドロキシステアレート、メチルイソステアレート、イソプロピルミリステート、イソプロピルパルミテート、イソプロピルステアレート、イソプロピルイソステアレート、イソプロピルヒドロキシステアレート、エチルヘキシルミリステート、エチルヘキシルパルミテート、エチルヘキシルステアレート（stearare）、エチルヘキシルイソステアレート（isosterate）、エチルヘキシルヒドロキシステアレート、ステアリルヘプタノエート、ステアリルオクタノエート、ミリスチルオレエート、ミリスチルリシノレエート、セチルオレエート、セチルリシノレエート、ステアリルオレエート、ステアリルリシノレエート、イソステアリルオレエート、イソステアリルリシノレエート、オレイルミリステート、オレイルパルミテート、オレイルステアレート、オレイルイソステアレート、オレイルベヘネート、オレイルエルカート、ベヘニルオレエート、ベヘニルリシノレエート、ミリスチルラクテート、セチルラクテート、ステアリルラクテート、イソステアリルラクテート、及びこれらの混合物が挙げられる。
【００４７】
好適なアルキルエトキシレート又はアルキルプロポキシレートの非限定例としては、平均エトキシル化度が約１〜約２０のＣ１２〜Ｃ２２脂肪アルコールエーテルエトキシレート、又は平均プロポキシル化度が約１〜約２０のＣ１２〜Ｃ２２脂肪アルコールエーテルプロポキシレートが挙げられる。好適なアルキルエトキシレート及びアルキルプロポキシレートの非限定例としては、ステアレス−１、ステアレス−２、ステアレス−３、ステアレス−４、ステアレス−６、ステアレス−８、ベヘネス−４、ベヘネス−８、ＰＰＧ−１ミリスチルエーテル、ＰＰＧ−２ミリスチルエーテル、ＰＰＧ−３ミリスチルエーテル、ＰＰＧ−１ステアリルエーテル、ＰＰＧ−２ステアリルエーテル、ＰＰＧ−３ステアリルエーテル、ＰＰＧ−１０ステアリルエーテル、ＰＰＧ−１５ステアリルエーテル、ＰＰＧ−２ベヘニルエーテル、ＰＰＧ−３ベヘニルエーテル、ＰＰＧ−４ベヘニルエーテル、及びＰＰＧ−１０ベヘニルエーテルが挙げられる。約２〜約６個の炭素原子を有する好適な低級アルコールの非限定的例としては、ブタンジオール、１，２，４−ブタントリオール、１，２ヘキサンジオール、及びこれらの混合物が挙げられる。好適な低分子量グリコール及びポリオールの非限定的な例としては、エチレングリコール、ポリエチレングリコール（例えば、分子量２００〜６００ｇ／モル）、ブチレングリコール、プロピレングリコール、ポリプロピレングリコール及びこれらの混合物が挙げられる。好適な炭化水素、ポリシロキサン化合物、及び脂肪アルコールエトキシレートなどのキャリア成分のより詳細な説明は、米国特許第５，６４３，５８８号に見出すことができる。
【００４８】
好適なキャリアは、更にワックスを包含する。本明細書で使用するとき、用語「ワックス」とは、ワックス状の構成成分を有し、融点又は融解範囲が周囲温度よりも高い、特に２５℃よりも高い油溶性材料を指す。ワックスは固体から半固体（クリーム状）の稠度を有し、結晶性であってもなくてもよく、液化点よりも少し高い温度では比較的低い粘度を有する物質である。ローション組成物に組み込むことができる好適なワックスとしては、動物、植物、ミネラル、又はシリコーン系のワックスが挙げられ、これらは天然、又は合成であってもよく、これらの混合物を含んでもよい。ワックスとしては、植物由来の天然ワックス、例えば、ヤマモモワックス、セレシン、ピュアセリン（purcelline）、和蝋、ラノリンワックス、ミンクワックス、ビール粕ワックス、鯨蝋ワックス、セレシンワックス、果実由来ワックス、例えば、オレンジワックス、レモンワックス、及びヤマモモワックスなど、並びに動物由来のワックス、例えば羊毛脂などを挙げることができるが、これらに限定されない。天然ワックスは、セレシンワックスなどのミネラルワックスを更に含む。合成ワックスは、石油系ワックス、例えば、先に記載された特定のキャリア材料、例えば、パラフィン、ワセリン、鉱油、マイクロワックス、及び微晶性ワックスを含む。更に好適な合成ワックスは、ポリアルキレン及びポリエチレングリコールワックス（例えばポリエチレンワックス）、塩素化ナフタレン系のワックス（例えば「Ｈａｌｏｗａｘ」、合成炭化水素ワックスなど）、ＰＥＧ−６蜜蝋、ＰＥＧ−８蜜蝋、Ｃ１６〜２８アルキルジメチコーン、合成和蝋、合成ホホバワックスであり、これらの混合物を含む。更に好適なワックスは化学修飾したワックスであり、特に、例えば、水素添加綿実油、水素添加ホホバ油、水素添加微晶性ワックス、ホホバエステル等のような硬化つまり水素添加ワックスである。
【００４９】
その他ワックス成分は、特定の脂肪（Ｃ１２〜Ｃ１８モノ、ジ−及びトリグリセリドを含む）、Ｃ８〜Ｃ１８ジアルキル（エン）エーテル、Ｃ８〜Ｃ１８ジアルキル（エン）カーボネート、Ｃ８〜Ｃ１８ジカルボン酸であってよい。使用できる更なるワックス成分は、トリ−Ｃ８〜Ｃ１８−アルキルシトレート（例えば、トリステアリルシトレート、トリイソステアリルシトレート、トリミリスチルシトレート、トリラウリルシトレート）、エチレングリコールジ脂肪酸エステル、特に、エチレングリコールジ−Ｃ１２〜Ｃ１８−脂肪酸エステル（例えば、エチレングリコールジパルミテート、エチレングリコールジミリステート）、グリセリルジ−又はトリ−Ｃ１２〜Ｃ１８−脂肪酸エステル（例えば、グリセリルトリミリステート、グリセリルトリパルミテート）である。
【００５０】
他の好適なキャリアとしては、本明細書で先に記載した材料のいくつかを含む、固化剤として機能する材料が挙げられる。本発明のローション組成物中の好適な固化剤は、組成物を固化することを助けるように機能することができ、それによって組成物は室温で固体であり、少なくとも３２℃の融点を有する。固化剤はまた、組成物に粘着度を提供してもよく、これは、着用者の皮膚への粘着による、移動を改善する。選択される固化剤により、固化剤はまた、移動の様式を変更することができ、それによって組成物は、実際に擦れて着用者の皮膚に付く代わりに、破裂するか又は剥がれ落ちる傾向を有し、これは、皮膚への移動の改善につながり得る。固化剤は、更に、皮膚軟化剤、閉塞剤、保湿剤、障壁向上剤、粘度向上剤、及びこれらの組み合わせとして機能してもよい。固化剤は、融点が４０℃以上の微晶性ワックス、アルキルシロキサン、脂肪酸エステル、アルキルヒドロキシステアレート、分枝状エステル（例えば、脂肪酸でジ置換されたグリコール、ヒドロキシステアレートでジ置換されたグリコール、ジ又はトリグリセリド、ジ又はトリ置換シトレート、及びジ、トリ、又はテトラ置換ペンタエリスリトール）、ジ置換エチレンアミド、低密度ポリエチレン、ポリスチレン、ポリアミド（polyamdies）、アルコキシル化アルコール及びアルコキシル化カルボン酸から選択してよい。好適な固化剤の例としては、以下のもの、すなわち、微晶性ワックス、Ｃ３０アルキルジメチコーン、Ｃ２４〜Ｃ２８アルキルジメチコーン、セロチル（cerotyl）ジメチコーン、ステアリルジメチコーン、セチルジメチコーン、ステアリルメチコン、セチルメチコン、Ｃ１〜Ｃ１８アルキルベヘネート、Ｃ１６〜Ｃ２４ラクテート、イソプロピルリグノセレート、エチルヘキシルリグノセレート、ラウリルリグノセレート、ミリスチルリグノセレート、イソプロピルベヘネート、エチルヘキシルベヘネート、ラウリルベヘネート、トリデシルベヘネート、ミリスチルベヘネート、セチルベヘネート、イソステアリルベヘネート、エチルヘキシルステアレート、ラウリルステアレート、トリデシルステアレート、ミリスチルステアレート、セチルステアレート、イソステアリルステアレート、ステアリルステアレート、ベヘニルイソステアレート、ステアリルイソステアレート、セチルイソステアレート、ラウリルパルミテート（palmiate）、ミリスチルパルミテート、セチルパルミテート、ステアリルパルミテート、イソステアリルパルミテート、ミリスチルミリステート、セチルミリステート、イソステアリル（isotearyl）ミリステート、ステアリルミリステート、ベヘニル（behehenyl）ミリステート、セチルラウレート、ステアリルラウレート、イソステアリルラウレート、ベヘニルラウレート、オクチルドデシル（octyidodecyl）ステアレート；オクチルドデシルステアロイルステアレート、Ｃ１４〜Ｃ２４アルキルヒドロキシステアレート、ステアリルベンゾエート、イソステアリルベンゾエート、ベヘニルベンゾエート、ジＣ２〜Ｃ５アルキルフマレート（fumerate）、ステアリルラクテート、ベヘニルラクテート、エチレングリコールジベヘネートエステル、エチレングリコールジステアレートエステル、エチレングリコールジイソステアレートエステル、エチレングリコールジ（ヒドロキシステアレート）、グリセロールトリベヘネートエステル、グリセロールジベヘネートエステル、グリセリルトリステアレートエステル、グリセリルジステアレートエステル、グリセリルトリイソステアレートエステル、グリセリルジイソステアレートエステル、グリセリルトリ（ヒドロキシステアレート）、グリセリルジ（ヒドロキシステアレート）、トリベヘニルシトレート、ジベヘニルシトレート、トリステアリルシトレート、ジステアリルシトレート、トリイソステアリルシトレート、ジイソステアリルシトレート、トリセチルシトレート、ジセチルシトレート、ソルビタンテトラベヘネート、ソルビタントリベヘネート、ソルビタンジベヘネート、ソルビタンテトラステアレート（tetrasteate）、ソルビタントリステアレート、ソルビタンジステアレート、ソルビタンテトライソステアレート、ソルビタントリイソステアレート、ソルビタンジイソステアレート、ソルビタンテトラパルミテート、ソルビタントリパルミテート、ソルビタンジパルミテート、スクローステトラベヘネート、スクローストリベヘネート、スクロースジベヘネート、スクローステトラステアレート（sucrose, tetrastearate）、スクローストリステアレート、スクロースジステアレート、スクローステトライソステアレート、スクローストリイソステアレート、スクロースジイソステアレート、スクローステトラパルミテート、スクローストリパルミテート、スクロースジパルミテート、ペンタエリスリチルテトラベヘネート、ペンタエリスリチルジステアレート、ペンタエリスリチルテトラミリステート、ペンタエリスリチルテトラパルミテート、ペンタエリスリチル（pentserythrityl）テトラステアレート、ペンタエリスリチルテトライソステアレート、ペンタエリスリチルテトラ（ヒドロキシステアレート）、エチレンビスオレアミド、低密度ポリエチレン、ポリプロピレン、ポリブテン、ポリアミド、ポリスチレン、ポリ（ビニルアセテート）、グリコールモンタナート、フッ素化（fluoranated）ワックス、ステアレス−１、ステアレス−２、ステアレス−３、ステアレス−４、ステアレス−６、ステアレス−１０、ベヘネス−１、ベヘネス−２、ベヘネス−３、ベヘネス−４、ベヘネス−８、エチレングリコールモノステアレート、ＰＯＥ−２モノステアレート、ＰＯＥ−３モノステアレート、ＰＯＥ−８モノステアレート、プロピレングリコールモノベヘネート、エチレングリコールモノベヘネート、ＰＯＥ−２モノベヘネート、ＰＯＥ−３モノベヘネート、ＰＯＥ−１０モノベヘネート、及びこのような化合物の混合物が挙げられるが、これらに限定されない。
【００５１】
特定の実施形態では、ローション組成物は、実質的に水を含まなくてよく、つまり水は、典型的には意図的にローション組成物に添加されない。しかしながら、ローション組成物の成分中に、又は湿度を受けて、少量の水が存在してよい。典型的には、本発明のローション組成物は、５重量％未満、好ましくは１重量％未満、より好ましくは０．５重量％未満の水を含む。
【００５２】
本発明によるローション付き生理用品の作製において、ローション組成物を、例えば、トップシートの外表面などの吸収性物品の外表面に適用してよい。例えば、米国特許第５，９６８，０２５号及び米国特許公開第２００５／０２０８１１３号に記載のような、溶融した、つまり液体の稠度を有する潤滑性材料を分配する任意の様々な適用方法を使用できる。好適な方法としては、噴霧、印刷（例えば、フレキソ印刷）、コーティング（例えば、グラビアコーティング）、押出成形、浸漬、又はこれらの適用技術の組み合わせ、例えば、カレンダーロールのような回転している表面上にローション組成物を噴霧し、次いで組成物を生理用ナプキンのトップシートの外表面に移動させるなどが挙げられるが、これらに限定されない。加えて、ローション組成物を生理用品の一部に適用する方式は、基材又は構成要素がローション組成物で飽和しないようなものであることができる。ローション組成物は、組立中の任意の時点で生理用品に適用することができる。例えば、ローション組成物はまた、それが他の原材料と組み合わせられ、完成した生理用品を形成する前に、トップシートの外表面に適用することができる。
【００５３】
特定の実施形態では、ローション組成物は、適用されるトップシートの内部に移行する傾向がない。したがって、所望のコーティング及び抗汚染効果を付与するためのローション組成物が少なくて済む。しかしながら特定の実施形態では、ローション組成物は、通常の接触、着用者の動き、及び／又は体温により、着用者の皮膚に移動可能であり得る。
【００５４】
本発明のローションは、トップシートを通して吸収性物品の吸収性コアへの流体獲得を促進し、経血中に存在するタンパク質、脂質、及び炭水化物によるトップシート及び着用者の皮膚の汚染に抵抗性がある。ローション組成物の非限定的実施例を、以下の実施例１〜８に示す。
【実施例】
【００５５】
実施例１（重量パーセント）
【表１】
2013538667.tif 000003
１）酸化亜鉛プレミックスは、イソノニルイソノナノエート及びポリヒドロキシステアリン酸（polyhydroxstearic acid）の混合物に分散された６９．８重量％の酸化亜鉛を含有する。
【００５６】
実施例２（重量パーセント）
【表２】
2013538667.tif 000004
【００５７】
実施例３（重量パーセント）
【表３】
2013538667.tif 000005
【００５８】
実施例４（重量パーセント）
【表４】
2013538667.tif 000006
【００５９】
実施例５（重量パーセント）
【表５】
2013538667.tif 000007
【００６０】
実施例６（重量パーセント）
【表６】
2013538667.tif 000008
【００６１】
実施例７（重量パーセント）
【表７】
2013538667.tif 000009
【００６２】
実施例８（重量パーセント）
【表８】
2013538667.tif 000010
【００６３】
実施例９（重量パーセント）
【表９】
2013538667.tif 000011
【００６４】
実施例１０
実施例１０は、実施例１〜８に示すローション組成物の親水性及び疎水性を実証する。
【００６５】
実施例１〜８のローション組成物について、接触角の測定値を取得した。この結果は、実施例１及び２のローション組成物は、約８０〜９０°の初期接触角を有する疎水性ローションであり、一方実施例３のローション組成物は、約７０°の初期接触角を有する、疎水性がより低く／親水性がより高いローションであることを示した。実施例４〜８のローション組成物は、約５０〜６３°の初期接触角を有する更により親水性の高いローションである。
【００６６】
実施例１１
実施例１１は、２種類の既知のローションと比較して、本発明のローション組成物が汚染の減少をもたらすことを示す。
【００６７】
以下の組成を有する既知のローションＡ及び既知のローションＢと共に、実施例２、３及び４のローション組成物を試験した。
【表１０】
2013538667.tif 000012
【表１１】
2013538667.tif 000013
【００６８】
各ローション組成物のフィルムを薄いガラススライドに塗布した。次に、このスライドを界面張力計に置き、約８０℃〜９０℃で溶解した合成月経液（Ｉｎｔｅｒｎａｌ  Ｆｌｕｉｄ  １８、Ｐ＆Ｇ）中に浸漬した。スライドを合成月経液から引き上げ、初期接触角を測定した。スライドの浸漬及び引き上げを合計３回行い、合成月経液との各接触中及び後の接触角を測定した。３回の接触による接触角の変化が小さいこと（ΔΘヒステリシスで示す）は、ローションフィルムへの経血の影響がわずかであるか又は全くなく、例えば、ローションが経血中に溶解せずに、ローション組成物に一定の抗汚染特性をもたらし得ることを示す。
【００６９】
この試験の結果により、生理用品向けの既知のローションＡ及び既知のローションＢ組成物は、比較的大きいΔΘヒステリシスである５０を呈することが示された。対照的に、実施例２、３及び４のローションは、それぞれ２２、２０及び１０のΔΘヒステリシスを呈する。このように、実施例２、３及び４の本発明のローションは、既知のローションＡ及び既知のローションＢと比較して、改善された抗汚染特性を有する。
【００７０】
実施例１２
実施例１２は、実施例１及び２のローションが、既知のローションＡ及び既知のローションＢと比較して、合成月経液のタンパク質、炭水化物、及び脂質の表面吸収が低くなることが、ローション表面汚染のＦＴＩＲ測定により示されることを説明する。
【００７１】
ゲルマニウム内部反射エレメントを０．１％のヘキサン中ローション溶液に沈め、風乾し、標準サイズのフロースルー型Ｓｐｅｃｔｒａ−Ｔｅｃｈ円筒形減衰全反射セル（ＣＩＲＣＬＥ（商標）セル）に入れた。セルを水で満たし、参照スペクトルを収集した。０．３秒毎にスペクトルを収集するようＦＴ−ＩＲを設定し、シリンジポンプを用いて、４０ミリリットルの合成月経液を水で満たしたセル内に注入した。合成月経液注入約５分後、データ収集を終了した。Ｓｔｏｒｙ，Ｇ．Ｍ．ａｎｄ  Ｍａｒｃｏｔｔ，Ｃ．，「Ｍｏｎｉｔｏｒｉｎｇ  Ｅｎｚｙｍｅ  Ａｄｓｏｒｐｔｉｏｎ  ｏｎ  Ｍｏｄｅｌ  Ｓｕｂｓｔｒａｔｅｓ  Ｕｓｉｎｇ  Ｉｎｆｒａｒｅｄ  Ａｔｔｅｎｕａｔｅｄ  Ｔｏｔａｌ  Ｒｅｆｌｅｃｔａｎｃｅ  Ｓｐｅｃｔｒｏｓｃｏｐｙ．」Ｐｒｏｃｅｅｄｉｎｇｓ  ｏｆ  ｔｈｅ  ７ｔｈ  Ｉｎｔｅｒｎａｔｉｏｎａｌ  Ｃｏｎｆｅｒｅｎｃｅ  ｏｎ  Ｆｏｕｒｉｅｒ  Ｔｒａｎｓｆｏｒｍ  Ｓｐｅｃｔｒｏｓｃｏｐｙ，ＳＰＩＥ，１１４５，１４５（１９８９）、及びＳｔｏｒｙ，Ｇ．Ｍ．，Ｒａｕｃｈ，Ｄ．Ｓ．，Ｂｒｏｄｅ  ＩＩＩ，Ｐ．Ｆ．，ａｎｄ  Ｍａｒｃｏｔｔ  Ｃ．，：「Ｉｎｆｒａｒｅｄ  Ａｎａｌｙｓｉｓ  ｏｆ  Ｅｎｚｙｍｅｓ  Ａｄｓｏｒｂｅｄ  ｏｎｔｏ  Ｍｏｄｅｌ  Ｓｕｒｆａｃｅｓ」，ＡＣＳ  Ｓｙｍｐｏｓｉｕｍ  Ｓｅｒｉｅｓ  Ｎｏ．４４７，Ｆｏｕｒｉｅｒ  Ｔｒａｎｓｆｏｒｍ  Ｉｎｆｒａｒｅｄ  Ｓｐｅｃｔｒｏｓｃｏｐｙ  ｉｎ  Ｃｏｌｌｏｉｄ  ａｎｄ  Ｉｎｔｅｒｆａｃｅ  Ｓｃｉｅｎｃｅ，Ｄ．Ｒ．Ｓｃｈｅｕｉｎｇ，Ｅｄ．，Ａｍｅｒｉｃａｎ  Ｃｈｅｍｉｃａｌ  Ｓｏｃｉｅｔｙ，２２５，１９９１に記載のようにＦＴ−ＩＲ測定を実施した。
【００７２】
図２〜４は、時間（分）に対するＩＲ吸光度の３種類のプロットであり、既知のローションＡ及び既知のローションＢに比べて、実施例１及び実施例２のローション組成物により吸収された表面汚染化合物量が低いことを示している。これらの結果は、既知のローションＡ及び既知のローションＢと比較して、実施例１及び２のローションにより、合成月経液のタンパク質、炭水化物、及び脂質の表面吸収が低くなることを示す。
【００７３】
本明細書に開示した寸法及び値は、記載された正確な数値に厳密に限定されるものとして理解されるべきでない。むしろ、特に断らないかぎり、そのような寸法はそれぞれ、記載された値及びその値周辺の機能的に同等の範囲の両方を意味するものとする。例えば、「４０ｍｍ」として開示された寸法は、「約４０ｍｍ」を意味するものとする。
【００７４】
相互参照されるか又は関連するすべての特許又は特許出願を含む、本願に引用されるすべての文書を、特に除外又は限定することを明言しないかぎりにおいて、その全容にわたって本願に援用するものである。いずれの文献の引用も、こうした文献が本願で開示又は特許請求されるすべての発明に対する先行技術であることを容認するものではなく、あるいは、こうした文献が、単独で、又は他のすべての参照文献とのあらゆる組み合わせにおいて、こうした発明のいずれかを参照、教示、示唆又は開示していることを容認するものでもない。更に、本文書において、ある用語の任意の意味又は定義の範囲が、援用文献中の同じ用語の任意の意味又は定義と矛盾する場合には、本文書中でその用語に与えられる意味又は定義が優先するものとする。
【００７５】
以上、本発明の特定の実施形態を例示、記載したが、本発明の趣旨及び範囲から逸脱することなく他の様々な変更及び改変を行いうる点は、当業者には明らかであろう。したがって、本発明の範囲に含まれるそのようなすべての変更及び改変を添付の特許請求の範囲において網羅するものとする。
【図１】
2013538667.tif 000014
【図２ａ】
2013538667.tif 000015
【図２ｂ】
2013538667.tif 000016
【図２ｃ】
2013538667.tif 000017
【図２ｄ】
2013538667.tif 000018
【図３ａ】
2013538667.tif 000019
【図３ｂ】
2013538667.tif 000020
【図３ｃ】
2013538667.tif 000021
【図３ｄ】
2013538667.tif 000022
【図４ａ】
2013538667.tif 000023
【図４ｂ】
2013538667.tif 000024
【図４ｃ】
2013538667.tif 000025
【図４ｄ】
2013538667.tif 000026
【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
吸収性物品であって、
液体透過性トップシートであって、前記吸収性物品の内側に向けられる内表面、及び前記吸収性物品が着用された際に着用者の皮膚に向けられる外表面を有する、液体透過性トップシートと、
前記トップシートに接合されるバックシートであって、前記吸収性物品の内側に向けられる内表面、及び前記吸収性物品が着用された際に前記着用者の衣類に向けられる外表面を有する、バックシートと、
前記トップシートと前記バックシートとの間に配置される吸収性コアであって、前記吸収性物品が着用された際に着用者の皮膚に向けられる内表面、及び前記吸収性物品が着用された際に着用者の衣類に向けられる外表面を有する、吸収性コアと、
前記トップシートの前記外表面の少なくとも一部に適用されるローション組成物であって、
約０．１重量％〜約９０重量％の、微晶性ワックス、アルキルジメチコーン、エチレングリコールジベヘネート、エチレングリコールジステアレート、グリセロールトリベヘネート、グリセロールトリステアレート、及びエチレンビスオレアミドからなる群から選択されるレオロジー構造剤を含む、ローション組成物と、
約０．１重量％〜約６０重量％の、
（ａ）約１．５〜約１０のＨＬＢ値を有する液体界面活性剤であって、ＰＯＥ−４モノラウレート、ＰＯＥ−４ジラウレート、ＰＯＥ−８ジオレエート、オレス−２、オレス−３、ＰＰＧ−１５ステアリルエーテル、及びＰＰＧ−３ミリスチルエーテルからなる群から選択される、液体界面活性剤、
（ｂ）約５〜約１３のＨＬＢ値を有する固体界面活性剤であって、ＰＯＥ−８ステアレート、ＰＯＥ−８ジステアレート、ＰＯＥ−１２ジステアレート、ステアレス−１０、及びセテアレス−１０からなる群から選択される、固体界面活性剤、
及び（ｃ）これらの混合物、からなる群から選択される表面エネルギー調整剤と、を含む、吸収性物品。
【請求項２】
前記ローションが、身体治療剤及び粘度調整剤の少なくとも１つを更に含む、請求項１に記載のローション。
【請求項３】
前記ローションがキャリアを含む、請求項１又は２に記載の吸収性物品。
【請求項４】
前記キャリアが、前記ローションの約５重量％〜約９５重量％の量で存在する、請求項３に記載の吸収性物品。
【請求項５】
前記キャリアが鉱油を含む、請求項３又は４に記載の吸収性物品。
【請求項６】
前記身体治療剤が酸化亜鉛を含み、前記粘度調整剤がヒュームドシリカを含む、請求項２〜５のいずれか一項に記載の吸収性物品。
【請求項７】
前記ローション組成物が、前記ローション組成物により被覆される領域の平方メートルあたり約０．０１グラム〜平方メートルあたり約１００グラムの量で適用される、請求項１〜６のいずれか一項に記載の吸収性物品。
【国際調査報告】
2013538667.tif 000027
2013538667.tif 000028
2013538667.tif 000029
2013538667.tif 000030